(57)【要約】【課題】  半導体封止材用のフィラー、或いは機械部品や電子部品製造のための焼結用原料等に有用な、高純度で単分散の球状セラミックス微粒子とその製造方法を提供する。【解決手段】  平均粒径が５０〜１００，０００ｎｍの範囲で、且つ真球度が０．９〜１．０の範囲にある球状セラミックス微粒子。粒子径変動係数（ＣＶ値）が２０％以下である球状セラミックス微粒子。（ａ）該球状セラミックス微粒子を構成する金属元素及び／又は半金属元素を含む前駆体高分子を製造する工程と、（ｂ）前記前駆体高分子を貧溶媒と混合し加熱することで溶解させた後、該溶液を冷却することで前記前駆体高分子を析出させ、該析出物を濾別することで前記球状前駆体高分子の微粒子を得る工程と、（ｃ）前記球状前駆体高分子の微粒子を不活性ガス中或いは酸素を含む雰囲気中で焼成する工程とを有することを特徴とする球状セラミックス微粒子の製造方法。【選択図】      なし【特許請求の範囲】
【請求項１】
球状セラミックス微粒子の製造法であって、
（ａ）該球状セラミックス微粒子を構成する金属元素及び／又は半金属元素を含む前駆体高分子を製造する工程と、
（ｂ）前記前駆体高分子を貧溶媒と混合し加熱することで溶解させた後、該溶液を冷却することで前記前駆体高分子を析出させ、該析出物を濾別することで前記球状前駆体高分子の微粒子を得る工程と、
（ｃ）前記球状前駆体高分子の微粒子を不活性ガス中或いは酸素を含む雰囲気中で焼成する工程とを有することを特徴とする球状セラミックス微粒子の製造方法。
【請求項２】
前記球状セラミックス微粒子の真球度が０．９〜１．０の範囲にあることを特徴とする請求項１記載の球状セラミックス微粒子の製造方法。
【請求項３】
前記球状セラミックス微粒子の平均粒子径が、５０〜１００，０００ｎｍの範囲にあり、粒子径変動係数（ＣＶ値）が２０％以下であることを特徴とする請求項２記載の球状セラミックス微粒子の製造方法。
【発明の詳細な説明】
【技術分野】
【０００１】
本発明は、半導体封止材用のフィラー、或いは機械部品や電子部品製造のための焼結用原料等に有用な、高純度で単分散の球状セラミックス微粒子とその製造方法に関する。
【背景技術】
【０００２】
セラミックス粉末を半導体封止材のフィラー、或いは機械部品や電子部品製造のための焼結用原料等に用いる場合、出発原料であるセラミックス粉末の純度が製品の性能に影響を与えることは周知の通りである。しかし、純度のみではなく原料粉末の粒子形状、粒度分布、凝集の程度といった物性もセラミックスを使用する製品の性能に大きな影響を与える。
【０００３】
近年、電子機器の小型軽量化、高性能化の動向に対応して、デバイスの複雑化、半導体パッケージの小型化、薄型化、狭ピッチ化がますます加速している。また、その実装方法も配線基板等への高密度実装に好適な表面実装が主流になりつつある。このように半導体封止材料においても高性能化、特に耐半田耐熱性、耐湿性、低熱膨張性、機械的特性、電気絶縁性等の機能向上が要求されている。これらの要求を満たすために、エポキシ樹脂に上記の特性を有する無機質粉末をフィラーとして充填した半導体封止材料が一般的に使用されている。この半導体封止材料に充填される無機質粉末は半田耐熱性、耐湿性、低熱膨張、機械的強度向上の観点から、エポキシ樹脂に高充填されることが望ましい。より小型化、薄型化していく電子部品の半導体封止材料には、フィラーを高充填しても流動性、成形性を損なわないことが求められる。このためには、フィラーは球形で適当な粒度分布を持ち、且つ凝集が少ないことが好ましい。
【０００４】
セラミックス粉末を成形、焼結してセラミックス焼結体を得るに際して、出発原料であるセラミックス粉末の純度が、セラミックス焼結体の特性に大きな影響を与えることは周知の通りである。しかし、純度のみではなくセラミックス粉末の粒子形状、粒子サイズ、比表面積、凝集の程度といった物性もセラミックス焼結体の特性に大きな影響を与える。例えば、粒子形状については、一般に球形であることが望ましい。即ち、インゴットの粉砕等で調製された粉末は粒子形状に異方性があるので、一般的には球形から形がずれてくると成形体の相対密度が低くなるとともに、密度の不均質が生じる。このような成形体を焼結しても、焼結体の密度が上がらないばかりか、焼結時の収縮に異方性が生じ、反りや割れが起こる。
【０００５】
真球度の高いセラミックス微粒子を得る方法は、転動造粒法、噴霧乾燥法、火炎溶融法等がある。転動造粒法とは、回転皿・回転円筒・回転円錐形状のドラムに、液体バインダーを混ぜて回転運動をさせ、大きな造粒物を排出させ、小さな造粒物を得る方法である。転動造粒法は比較的多量に粉末を得ることができるが、焼結に適したミクロンサイズ以下の微粒子を得ることは難しい。また、壁面からの不純物の混入やバインダーの残留等の問題もあり、高純度のミクロンサイズの粉末を得るのには適さない。
【０００６】
噴霧乾燥法は、一般に高温気流中にスラリー等の液状物を噴霧して高速で乾燥させて微粒子を得る方法である。多量の微粒子を製造することができるが、焼結に適したミクロンサイズ以下の微粒子を得ることが難しいことと、粒子が多孔質になりやすいこと、凝集が起こりやすいこと等の問題がある。
【０００７】
火炎溶融法は、原料粉末を高温の火炎中に供給し、溶融した液滴を冷却して捕集して微粒子を得る方法であり、球状の微粒子を得るのには適しているといえる。しかしながら、高温の火炎を使用することから火炎温度が上がりすぎると溶融塊ができる、或いはバーナーの閉塞が起こるという問題があり、安定製造が難しい。さらに、壁面からの不純物の混入や低沸点組成物の揮発による組成ズレが起こることがあり、高純度の粉末を得る上で最適であるとはいえない。また、溶融火炎法はシリカ、アルミナ、ムライトのような酸化物セラミックスを得るためには好適であるが、非酸化物セラミックスを得るには適さないし、炭化ケイ素セラミックスのように明確な融点を示さない材料に適用することは難しい。
【発明の開示】
【発明が解決しようとする課題】
【０００８】
半導体封止材用のフィラー、或いは機械部品や電子部品製造のための焼結用原料等に有用な、高純度で単分散の球状セラミックス微粒子とその製造方法を提供する。
【課題を解決するための手段】
【０００９】
本発明者らは、高純度で単分散の球状セラミックス微粒子の製造方法を鋭意研究していく中で、金属元素及び／又は半金属元素を含む前駆体高分子を加熱した溶媒に溶解させた後、冷却させることで球状前駆体高分子微粒子を析出させ、それを不活性ガス中、或いは酸素を含む雰囲気中で焼成することにより、高純度で単分散の球状セラミックス微粒子が得られることを見出した。即ち、本発明は半導体封止材用のフィラー、或いは機械部品や電子部品製造のための焼結用原料等に有用な、高純度で単分散の球状セラミックス微粒子とその製造方法に関する。
【００１０】
また、本発明は平均粒径が５０〜１００，０００ｎｍの範囲で、且つ真球度が０．９〜１．０の範囲にあることを特徴とする球状セラミックス微粒子に関する。
【００１１】
また、本発明は粒子径変動係数（ＣＶ値）が２０％以下であることを特徴とする球状セラミックス微粒子に関する。
【発明の効果】
【００１２】
本発明によれば半導体封止材用のフィラー、或いは機械部品や電子部品製造のための焼結用原料等に有用な、高純度で単分散の球状セラミックス微粒子を大量に製造することができる。
【発明を実施するための最良の形態】
【００１３】
本発明で製造される球状セラミックス微粒子はＣａＯ、ＣｄＯ、ＭｇＯ、Ｉｎ2Ｏ3、Ｓｂ2Ｏ3、Ｂｉ2Ｏ3、Ｃｕ2Ｏ、ＳｎＯ2、ＰｂＯ、ＺｎＯ、ＭｏＯ3、Ａｌ2Ｏ3、ＴｉＯ2、ＺｒＯ2、ＳｉＯ2、Ｆｅ3Ｏ4等のような酸化物セラミックス、或いはＳｒＡｌ2Ｏ4：Ｅｕ、（Ｓｒ，Ｃａ）Ｂ4Ｏ7：Ｅｕ、Ｙ2ＳｉＯ5：Ｃｅ、ＢａＭｇＡｌ14Ｏ23：Ｅｕ、ＢａＡｌ12Ｏ19：Ｍｎ、Ｙ3Ａｌ5Ｏ12：Ｃｅ、Ｙ3Ａｌ5Ｏ12：Ｔｂ、ＺｎＳｉＯ4：Ｍｎ、ＩｎＢＯ3：Ｔｂ、Ｙ2Ｏ3：Ｅｕ、ＩｎＢＯ4：Ｅｕ、ＹＶＯ4：Ｅｕ、Ｍｇ2ＳｉＯ4  ：Ｍｎ、Ｚｎ3（ＰＯ4）2：Ｍｎ、  （Ｙ，Ｇｄ）ＢＯ3：Ｅｕ、ＳｒＴｉＯ3：Ｅｕ、ＺｎＯ‐ＬｉＧａＯ2等の蛍光体材料、ＢａＴｉＯ3、ＳｒＴｉＯ3、Ｐｂ（Ｍｇ1/3Ｎｂ2/3）Ｏ3、ＰＺＴ、ＰＬＺＴ等の誘電体材料や圧電体材料、Ｐｂ2Ｒｕ2Ｏ6、ＩＴＯ等の導電体材料、ＹＢａ2Ｃｕ3Ｏy等の超伝導体材料、ＬｉＭｎ2Ｏ4、Ｌｉ3Ｖ2（ＰＯ4）3、Ｌｉ3Ｆｅ2（ＰＯ）3、ＬｉＣｏＯ2、ＬｉＮｉＯ2、ＬｉＭｎ2Ｏ4、ＬａＣｏＯ3、ＬａＭｎＯ3等の二次電池正極材料、Ｌａ1-XＳｒX+YＣｒＯ3等の固体電解質型燃料電池の電極材料、ＢａＴｉ4Ｏ9、Ｎｂ6Ｏ17、ＣｕＡｌＯ2等の光触媒材料、光機能性材料等のような複合酸化物セラミックスであるが、ここに列挙されたものに限定されるものではない。
【００１４】
また、さらに本発明で製造される球状セラミックス微粒子として、焼成雰囲気中の酸素分圧を制御することにより、上記酸化物或いは複合酸化物セラミックスの中に炭素を残したＭxＣyＯz（Ｍは金属或いは半金属元素）組成の球状セラミックス微粒子を製造することができる。
【００１５】
本発明の球状セラミックス微粒子は、下記の工程から製造される。
（ａ）球状セラミックス微粒子を構成する金属元素及び／又は半金属元素を含む前駆体高分子を製造する。
（ｂ）前駆体高分子を貧溶媒と混合し加熱することで溶解させた後、この溶液を冷却することで前駆体高分子を析出させ、析出物を濾別することで球状前駆体高分子の微粒子を得る工程。
（ｃ）球状前駆体高分子の微粒子を不活性ガス中或いは酸素を含む雰囲気中で焼成する工程。
【００１６】
以下に、本発明についてさらに詳しく説明する。
【００１７】
微粒子製造第１工程（ａ）は最終製品である球状セラミックス微粒子を構成する金属元素及び／又は半金属元素を含む前駆体高分子を製造する工程である。
【００１８】
前駆体高分子に含まれる金属イオン及び／又は半金属イオンは、金属前駆体高分子の主鎖を構成するものでも、前駆体高分子の配位子に配位したものでよく、金属イオン及び／又は半金属イオンが前駆体高分子の中で分相することなく均一に分布していればよい。前駆体高分子の金属イオン及び／又は半金族イオンの含有量は２０重量％以上であることが好ましい。２０重量％以下であると、焼成したときに球形である前駆体高分子の形を保持できなくなるばかりか、セラミックス微粒子の収率が低くなりコスト高になる。
【００１９】
前駆体高分子の製造方法は錯体重合法やゾル−ゲル法等を採用することができる。前駆体高分子の製造方法自体は特に限定されることはないが、金属元素及び／又は半金属元素の選択範囲が広いこと、前駆体高分子の取り扱いが容易であることや原料コストが安いこと等から錯体重合法が好ましい。
【００２０】
錯体重合法により前駆体高分子を得る方法は、特開平６−１１５９３４号公報に記載の方法を採用することができる。具体的には、酸化物セラミックス或いは複合酸化物セラミックスを構成する金属元素及び／又は半金属元素を含む原料化合物とクエン酸などのオキシカルボン酸またはポリアミノキレート剤、及びエチレングリコールなどのポリオールを混合した水溶液を１１０℃以上の所定の温度で加熱してエステル化反応させ、溶液中で金属錯体の重合体を形成させることにより、高純度で、且つ金属イオンレベルで均一な元素配列を有する均質な前駆体高分子を製造する方法である。
【００２１】
特開平６−１１５９３４号公報の記載によれば、目的の酸化物を形成する金属は、炭酸、水酸化物、硫酸塩、カルボン酸塩、ハロゲン化物、アルコキシドから選ばれた１種以上の形で供給され、金属錯体とされる。このときの配位子としては、オキシカルボン酸またはポリアミノキレート剤が用いられる。この錯体形成反応は、溶媒中で行われる。溶媒としては、種々の液体が使用可能であるが、水またはアルコールが好ましい。
【００２２】
オキシカルボン酸としては、クエン酸、酒石酸、リンゴ酸、タルトロン酸、グリセリン酸、オキシ酪酸、ヒドロアクリル酸、乳酸、グリコール酸などが好ましく用いられるが、クエン酸は特に好ましい。
【００２３】
ポリアミノキレート剤としては、エチレンジアミンテトラ酢酸、トランス−１，２−シクロヘキサンジアミンテトラ酢酸、グリコールエーテルジアミンテトラ酢酸、ジエチレントリアミンペンタ酢酸、トリエチレンテトラミンヘキサ酢酸、ニトリロトリ酢酸、テトラエチレンペンタミンヘプタ酢酸、Ｎ−（２−ヒドロキシエチル）−エチレンジアミン−Ｎ，Ｎ’，Ｎ’−トリ酢酸、エチレンジアミン−Ｎ，Ｎ，Ｎ’，Ｎ’−テトラプロピオニル酸、ジエチレントリアミン、トリエチレンテトラミンなどが好ましく用いられる。
【００２４】
この金属錯体は、次にグリコールと重合化させ、錯体重合体とする。グリコールとしては、エチレングリコール、プロピレングリコール、トリメチレングリコール、１，４−ブタンジオール、１，５−ペンタンジオール、１，６−ヘキサンジオール等が好ましく用いられるが、エチレングリコールは特に好ましい。
【００２５】
グリコールの量は金属元素の全モル数に対して、２〜２００倍のモル数、望ましくは１０〜３０倍が好ましい。グリコールが２倍モルより少ない場合は、重合化反応が起こりにくく錯体重合体を形成しないおそれがあるので好ましくない。２００倍モルより多くなる場合は、それ以上グリコール添加の効果が増大せず、コストが増大するので好ましくない。
【００２６】
重合は、金属錯体の溶液にグリコールを加えて加熱することにより行う。この熱処理は、２段階で行うことが好ましい。まず、第１段階で溶媒を加熱除去する。このときの温度は、４０〜１９０℃、さらに望ましくは１１０〜１４０℃程度が好ましい。溶媒の除去温度が４０℃より低い場合は、除去に時間を要するので好ましくない。溶媒の除去温度が１９０℃より高い場合は、グリコールが早く蒸発して所望の錯体重合体が形成されないおそれがあるので好ましくない。
【００２７】
第２段階でこのコロイドをさらに加熱するとエステル化により重合が起こる。このときの重合化の温度は、１００〜３００℃、さらに望ましくは１４０〜１９０℃程度が好ましい。この温度が１００℃より低い場合は、エステル化反応が進行しないおそれがあるので好ましくない。この温度が３００℃より高い場合は、エステル化反応が局部的に進行して、不均一になるおそれがあるので好ましくない。
【００２８】
微粒子製造の第２工程（ｂ）は、前駆体高分子を貧溶媒と混合し加熱することで溶解させた後、この溶液を冷却することで前駆体高分子を析出させ、析出物を濾別することで球状前駆体高分子の微粒子を得る工程であり、いわゆる冷却晶析による微粒子析出現象を利用する。
【００２９】
本発明で使用できる貧溶媒は、室温付近では前駆体高分子を溶解できないが、貧溶媒の沸点付近に加熱することによって溶解することができるという特性をもつ溶媒である。つまり、加熱−冷却を繰り返すことにより、前駆体高分子を溶解−析出できる溶媒であれば良い。好ましい溶媒としては、水、ｎ−ブタノール、Ｎ−メチルピロリドン、１，３−ジメチル−２−イミダゾリドン、Ｎ，Ｎ−ジメチルアセトアミド、酢酸エチル、メチルエチルケトン、炭酸ジエチル、メタノール、ｎ−プロパノール、イソプロピルアルコール、メタノール、Ｎ，Ｎ−ジメチルホルムアミド、酢酸ブチル、アセトン、イソプロピルエーテル、アセトニトリル、炭酸ジメチル等がある。または、これらの２種以上を組み合わせたものも使用できる。しかし、本発明で使用される溶媒は、ここの列挙した溶媒に限定されるものではない。
【００３０】
本発明で使用する晶析装置は特に限定されるものではないが、効率的に微粒子を形成し濾過操作で効率的に微粒子を回収することが可能な攪拌型の晶析装置が好ましい。本発明では冷却操作により前駆体高分子微粒子を析出させるのであるが、冷却方法は自己蒸発、外部循環冷却、ジャケット冷却を採用することができるが、攪拌条件や微粒子の付着などを考慮するとジャケット冷却が好ましい。
【００３１】
晶析槽の攪拌翼はパドル翼、プロペラ翼、タービン翼、マックスブレンド翼、フルゾーン翼、カネカ翼、Ｈ翼、アンカー翼などを使用することができる。晶析で得られる前駆体高分子の粒度分布は前駆体高分子溶液の温度や濃度の均質性に依存する。また、晶析した前駆体高分子微粒子の形状は界面張力により球形になる。粒径分布を小さくするためには強く攪拌した方が良いが、攪拌のせん断応力が大きくなりすぎると析出した前駆体高分子の合体や破壊が起こり、真球度が低下してしまう。高い真球度を保ちつつ効率よく溶液を攪拌するためには、マックスブレンド翼やフルゾーン翼で攪拌することが好ましい。
【００３２】
冷却晶析により得られる前駆体高分子微粒子の粒径は、前駆体高分子溶液の冷却速度により制御することができる。晶析現象は極簡単に言えば、過飽和溶液中での核発生現象と核成長現象の組合せである。小さな微粒子を得る場合には冷却速度を速くすると過飽和度が大きくなり核発生数が大きくなって粒子の成長が抑制されることで小粒子が得られる。一方、大粒径の微粒子を得る場合には冷却速度を小さくすることで過飽和度が小さくなり核発生数が小さくなって粒子の成長が促進されることで大粒子が得られる。また、核が発生する時点において溶液の温度を一定に保つ操作を加えることにより、過飽和度を小さくする方法も有効である。温度を一定にする保持する時間は通常１〜１００分間である。保持時間は１分程度でも効果があるが、より効果的に粒子径を大きくするためには保持時間を３０分以上にすることが好ましい。冷却晶析法では５０〜１０，０００ｎｍの前駆体高分子微粒子を得ることができる。
【００３３】
また、本発明で使用できるもうひとつの晶析装置の例として、マイクロリアクタ法も採用することができる。マイクロリアクタにも種々のタイプがあるが、ここでは一例として二重管マイクロリアクタ法について説明する。
【００３４】
二重管マイクロリアクタとは内径２ｍｍ程度の外管の内部に内径０．５ｍｍ程度の内管を挿入したもので、内管から前駆体高分子の良溶媒溶液を外管から貧溶媒を流すことにより、両液の混合部分で前駆体高分子の微粒子を析出させるものである。両液の混合部分を層流混合状態に保つことにより、単分散で真球状の微粒子を得ることができる。前駆体溶液と貧溶媒の比で制御することにより、１００〜１００，０００ｎｍの前駆体高分子微粒子を得ることができる。
【００３５】
前駆体高分子微粒子の濾過は公知の手法を採用することができる。例えば、濾過膜を使用する方法では濾過膜の公称孔径は０．１〜１μｍ、好ましくは０．２〜０．５μｍであり、濾過膜の材質は、特に制限されるものではないが、例えばコロジオン、セロファン、アセチルセルロース、ポリアクリロニトリル、ポリスルホン、ポリオレフィン、ポリアミド、ポリイミド、ポリビニリデンフロライド等の有機系の膜、あるいは黒鉛、セラミックス、多孔質ガラス等の無機系の膜が挙げられる。また、実験室規模であればＰＴＦＥメンブランフィルター等の濾過材が使用できる。この濾過操作は、減圧または加圧下でおこなうこともできるが、特に制限されるものではない。
【００３６】
濾過操作で回収された前駆体高分子微粒子は乾燥することで残留溶媒を除去するが、乾燥方法は特に限定されるものではない。例えば、自然乾燥、熱風乾燥、減圧乾燥、凍結乾燥、超臨界乾燥等を採用することができる。
【００３７】
微粒子製造第３工程（ｃ）は、球状前駆体高分子微粒子を不活性ガス中或いは酸素を含む雰囲気中で焼成する工程である。目的とする球状セラミックス微粒子が酸化物セラミックス或いは複合酸化物セラミックスの場合は、５００〜２０００℃の範囲で空気中或いは酸素を含む雰囲気中で焼成することにより得ることができる。目的とする球状セラミックス微粒子がＭxＣyＯz（Ｍは金属或いは半金属元素）組成の微粒子の場合、不活性ガス雰囲気か極微量の酸素を含む雰囲気中で５００〜２０００℃の範囲で焼成することにより得ることができる。なお、焼成装置は特に限定されるものではなく、焼成雰囲気を制御できるものであれば良い。
【００３８】
本発明では、球状セラミックス微粒子の真球度を、粒子の最大径（ＤＬ）と、これと直交する短径（ＤＳ）との比（ＤＳ／ＤＬ）とした。このような真球度は、まず微粒子の電界放射型走査電子顕微鏡（日立製作所（株）製：Ｓ−４２００）写真を撮影し、非球状の微粒子が存在しないことを確認した後、任意の微粒子１０個についてそれぞれ短径（ＤＳ）と最大径（ＤＬ）を求め、その比（ＤＳ／ＤＬ）の平均値を真球度とした。
【００３９】
球状セラミックス微粒子の平均粒径と粒径変動は以下のようにして求めた。まず、微粒子の電界放射型走査電子顕微鏡写真（日立製作所（株）製：Ｓ−４２００）写真を撮影し、この画像の２００個についてフェレー径を測定し、この値から平均粒径を求めた。粒径の変動係数（ＣＶ値）は、２００個の粒子の粒径を用いて次式により求めた。
【００４０】
ＣＶ値（％）＝（粒径標準偏差（σ）／平均粒径（Ｄｎ））×１００
【００４１】
【数１】
2007084354.tif 000002
【００４２】
本発明に係る球状セラミックス微粒子では、平均粒径が５０〜１００，０００ｎｍの範囲で、且つ真球度が０．９〜１．０の範囲にあることが好ましい。また、粒子径変動係数（ＣＶ値）が２０％以下であることが好ましい。平均粒径は５０〜５，０００ｎｍ、さらに好ましくは５０〜２，０００ｎｍの範囲がより好ましい。真球度は０．９４〜１．０の範囲にあることがより好ましい。粒子径変動係数（ＣＶ値）は１６％以下であることがより好ましい。
【００４３】
本発明の球状セラミックス微粒子の平均粒径は、微粒子製造第２工程（ｂ）の条件により制御されるが、球状セラミックス微粒子の平均粒径が５０〜１００，０００ｎｍの範囲であると真球度が高く単分散で凝集のない球状セラミックス微粒子を得ることができる。一方、平均粒径が５０ｎｍ未満の場合は粒径が小さすぎて凝集が起こり、単分散の球状微粒子としての特徴を活かすことができなくなる。また、濾過膜の目詰まりなどから濾過が難しくなる。
【００４４】
本発明の球状セラミックス微粒子の真球度が０．９より小さい場合、あるいは粒子径変動係数（ＣＶ値）が２０％を超える場合、小型、薄膜の電子部品等に用いる半導体封止材として使用するときにおける高充填性、流動性や成形性に劣る。また、セラミックス焼結体の原料として使用するときには、成形体の相対密度の低下や密度の不均質が起こり良質の焼結体を得ることができなくなる。
【００４５】
以下に、本発明の実施例を示す。
【実施例】
【００４６】
実施例１：
塩化亜鉛１３．６ｇをエタノール１００ｍｌに溶解させ、それにクエン酸３８．４ｇを添加し、８０℃で加熱しながら攪拌して溶解させた。さらに、エチレングリコール１２．４ｇを加え攪拌しながら８０〜１００℃で数時間保持した後、１５０℃まで温度を上げて重合させ、約５０ｇの金属錯体前駆体高分子を得た。この前駆体高分子５０ｇをキシレン５００ｇと混合し、１３０℃に加熱して溶解させた。この溶液を静置した状態で１時間で２５℃まで冷却し、さらに１時間で５℃まで冷却した。生成した懸濁液を濾過し、約４０ｇの球状亜鉛含有前駆体高分子微粒子を得た。亜鉛含有前駆体高分子微粒子を８００℃の大気中で１時間焼成し、球状の酸化亜鉛微粒子を得た。得られた微粒子の平均粒径は１０００ｎｍで、真球度が０．９５、ＣＶ値が１５％であった。
【００４７】
実施例２：
実施例１で得られた亜鉛含有前駆体高分子微粒子を４００℃のアルゴンガス中で1時間焼成した。その結果、ＺｎＣxＯy微粒子が得られた。得られた微粒子の平均粒径は１２００ｎｍで、真球度が０．９６、ＣＶ値が１４％であった。
【００４８】
比較例１
塩化亜鉛１３．６ｇをエタノール１００ｍｌに溶解させ、それにクエン酸３８．４ｇを添加し、８０℃で加熱しながら攪拌して溶解させた。さらに、エチレングリコール１２．４ｇを加え攪拌しながら８０〜１００℃で数時間保持した後、１８０℃まで温度を上げて重合させ、約５０ｇの金属錯体前駆体高分子を得た。この前駆体高分子５０ｇをキシレン５００ｇと混合し、１３０℃に加熱して溶解させた。この溶液を静置した状態にて１時間で２５℃まで冷却し、さらに１時間で５℃まで冷却したが、微粒子状の前駆体高分子は得られなかった。